(57)【特許請求の範囲】
【請求項１】
複数の支持部材及び隣り合う支持部材同士を接続する接続部材を備えた固定設置物の取付架台であって、
前記複数の支持部材の各々は、隣り合う少なくとも２つの支持部材と前記接続部材により接続されており、
前記接続部材は、長さ調節機構を有することを特徴とする固定設置物の取付架台。
【請求項２】
前記長さ調節機構は、前記接続部材の軸回りの回転操作により伸縮可能なターンバックル機構であることを特徴とする請求項１記載の固定設置物の取付架台。
【請求項３】
前記支持部材は、前記固定設置物の取付部の高さを調節するための高さ調節機構を有することを特徴とする請求項１又は２に記載の固定設置物の取付架台。
【請求項４】
前記支持部材は、前記固定設置物の設置面に載置される台板、該台板から立設されるネジ棒及び該ネジ棒に螺着され前記固定設置物を支持する受け板を備え、
前記高さ調整機構は、前記受け板の前記ネジ棒回りの回転操作により前記受け板の高さを変える機構であることを特徴とする請求項３記載の固定設置物の取付架台。
【請求項５】
前記接続部材に装着され、固定杭によって前記固定設置物の設置面に固定される固定部材を備えることを特徴とする請求項１〜４のいずれか一項に記載の固定設置物の取付架台。
【請求項６】
前記固定部材は、前記接続部材の長手方向に対して摺動自在とされていることを特徴とする請求項５記載の固定設置物の取付架台。
【請求項７】
請求項１〜６のいずれか一項に記載された固定設置物の取付架台と、前記固定設置物の下に設置された該取付架台を隠すために当該取付架台の周囲に配置される化粧枠とを備えた固定設置物の取付架台セット。
【発明の詳細な説明】
【技術分野】
【０００１】
この発明は、電気温水器等の貯水タンクユニット、自動販売機、蓄電ユニット等の固定設置物の取り付けに用いられる取付架台、及び、上記取付架台と関連部材から構成される取付架台セットに関する。
【背景技術】
【０００２】
自然冷媒ＣＯ２ヒートポンプ給湯器（エコキュート（登録商標））のような電気温水器の貯水タンクユニット等の固定設置物を設置する方法として、地面にコンクリートを打設し、アンカーボルトを立設させて基礎を作り、このアンカーボルトに固定設置物の取付脚を固定する方法が知られている。この方法では、コンクリートの打設に手間がかかるだけでなく、打設したコンクリートの乾燥固化を待って固定設置物の取り付け作業を開始する必要があるため、より簡単な方法で短時間に固定設置物を設置する方法が求められていた。
【０００３】
近年、貯水タンクユニット用の架台として、上面にボルト・ナットが摺動可能に係合されたレールを設けたコンクリートブロックからなるものが提案されている（特許文献１参照。）。この架台には、ボルト・ナットを係合させるレールが２又は３本並設されており、貯水タンクユニットの取付脚のピッチに応じて適切なレールを選択してボルト・ナットを係合させることにより、取付脚のピッチの異なる様々な種類の貯水タンクユニットに対応することができるようになっている。
【先行技術文献】
【特許文献】
【０００４】
【特許文献１】登録実用新案第３１５３７６３号公報
【発明の概要】
【発明が解決しようとする課題】
【０００５】
しかしながら、上記従来の架台は、コンクリートブロックからなるものであるために重く、持ち運びに不便で、据付作業が重労働であった。また、コンクリートブロックを水平に設置する必要があるために、架台を設置する面を平坦に作っておく必要がある。
【０００６】
さらに、貯水タンクユニットの取付脚を固定するためのボルト・ナットの位置調節を行うためには、貯水タンクユニットの脚のピッチを測定したり、定規を当てたりする煩わしい作業が必要であった。しかもボルト・ナットの位置が固定されていない状態で架台の上に貯水タンクユニットを載せて設置するために、貯水タンクユニットの脚にボルトを挿入する際に、取付脚等がボルトに触れるとボルトの位置がずれて再調整が必要となることもあり、設置作業が全般的に煩わしいものとなっていた。
【０００７】
本発明は、上述した課題に鑑みてなされたものであり、電気温水器等の貯水タンクユニット、自動販売機、蓄電ユニットといった固定設置物に設けられた取付脚の位置に合わせて、取付位置を容易に調節することができ、作業性に優れた固定設置物の取付架台、及び、上記取付架台と関連部材から構成される取付架台セットを提供することを目的とする。
【課題を解決するための手段】
【０００８】
以上のような目的を達成するために、本発明は、以下のようなものを提供する。
（１）  複数の支持部材及び隣り合う支持部材同士を接続する接続部材を備えた固定設置物の取付架台であって、
前記複数の支持部材の各々は、隣り合う少なくとも２つの支持部材と前記接続部材により接続されており、
前記接続部材は、長さ調節機構を有することを特徴とする固定設置物の取付架台。
【０００９】
（１）の発明によれば、各支持部材が接続部材により隣り合う少なくとも２つの支持部材と接続されることにより全支持部材が一体化されているので、強固な架台とすることができ、固定設置物を安定して設置できる。また、環状に配置した複数の支持部材の中心部に形成される空間に配管（給水管、排水管等）を通すことができるので、省スペース化を図ることができる。更に、本発明の取付架台は、打設したコンクリートの乾燥固化を待って固定設置物の取り付け作業を開始する必要がなく、また、金属等の材質にすれば、特許文献１に記載されたような従来のコンクリートブロックに比して格段に軽量とし得るので、持ち運び、設置作業が楽であり、使い勝手が良い。軽量化することで、支持部材の位置決めを設置される固定設置物の取付脚に当てながら行うことも可能である。そして、長さ調節機構を有する接続部材により各支持部材を接続するので、接続部材の長さを調節することにより、固定設置物の取付脚のピッチに応じて各支持部材の配置を適宜調節できる。加えて、支点となる支持部材の数を容易に増減させることができる。したがって、接続部材を繋ぎ合わせて形成する多角形の形状及びサイズを多様に変化させることができ、固定設置物の取付脚の数やピッチの異なる様々な機種の固定設置物への取付に対応できる。
【００１０】
更に、本発明は、以下のようなものを提供する。
（２）  上記（１）の固定設置物の取付架台であって、
前記長さ調節機構は、前記接続部材の軸回りの回転操作により伸縮可能なターンバックル機構であることを特徴とする。
【００１１】
（２）の発明によれば、ターンバックル機構を利用しているので、支持部材間のピッチの調整が特に容易である。
【００１２】
更に、本発明は、以下のようなものを提供する。
（３）  上記（１）又は（２）の固定設置物の取付架台であって、
前記支持部材は、前記固定設置物の取付部の高さを調節するための高さ調節機構を有することを特徴とする。
【００１３】
（３）の発明によれば、設置面の高さに応じて各支持部材により固定設置物の取付位置の高さを調節することができるので、設置面の高さにバラツキがあったとしても固定設置物を垂直に設置することができる。
【００１４】
更に、本発明は、以下のようなものを提供する。
（４）  上記（３）の固定設置物の取付架台であって、
前記支持部材は、前記固定設置物の設置面に載置される台板、該台板から立設されるネジ棒及び該ネジ棒に螺着され前記固定設置物を支持する受け板を備え、
前記高さ調整機構は、前記受け板の前記ネジ棒回りの回転操作により前記受け板の高さを変える機構であることを特徴とする。
【００１５】
（４）の発明によれば、固定設置物の取付位置の高さ調整が特に容易であり、支持部材の台板を設置面に固着した後であっても受け板の高さ調整が可能である。
【００１６】
更に、本発明は、以下のようなものを提供する。
（５）  上記（１）〜（４）のいずれかの固定設置物の取付架台であって、
前記接続部材に装着され、固定杭によって前記固定設置物の設置面に固定される固定部材を備えることを特徴とする。
【００１７】
（５）の発明によれば、接続部材を固定部材で設置面に固定することにより、本発明の取付架台をより強固に安定して設置面に設置することができる。
【００１８】
更に、本発明は、以下のようなものを提供する。
（６）  上記（５）の固定設置物の取付架台であって、
前記固定部材は、前記接続部材の長手方向に対して摺動自在とされていることを特徴とする。
【００１９】
（６）の発明によれば、固定部材を接続部材に対してスライド自在とすることによって、より適切な状態の設置面の箇所を選んで固定部材を固定することができる。
【００２０】
更に、本発明は、以下のようなものを提供する。
（７）  上記（１）〜（６）のいずれかの固定設置物の取付架台と、前記固定設置物の下に設置された該取付架台を隠すために当該取付架台の周囲に配置される化粧枠とを備えた固定設置物の取付架台セット。
【００２１】
（７）の発明によれば、本発明の取付架台は化粧枠により隠されるので、本発明の取付架台により外観が損なわれることがない。また、化粧枠により本発明の取付架台を防護できる。固定設置物の下に配管（給水管、排水管等）が通される場合には、化粧枠により配管を防護することもできる。
【発明の効果】
【００２２】
本発明の固定設置物の取付架台及び取付架台セットによれば、電気温水器等の貯水タンクユニット、自動販売機、蓄電ユニットといった固定設置物に設けられた取付脚の位置に合わせて、取付位置を容易に調節することができる。
また、従来の固定設置物の設置面にコンクリートを打設する方式と比べると、乾燥固化を待つ必要がないため、短時間で設置作業を完了することができる。更に、従来のコンクリートブロックを用いる方式と比べると、格段に軽量化できるため、持ち運び、設置作業の負担を軽減することができる。
【図面の簡単な説明】
【００２３】
【図１】実施形態１に係る取付架台及び化粧枠から構成される取付架台セットの設置状態を示す側面図である。
【図２】実施形態１に係る取付架台の設置状態を示す上面図である。
【図３】実施形態１に係る取付架台により電気温水器の貯水タンクユニットが設置された、化粧枠取り付け前の状態を示す側面図である。
【図４】実施形態１に係る支持部材を示す側面図である。
【図５】図４に示した支持部材の構造を示す分解側面図である。
【図６】図４に示した支持部材の台板（設置面に接する部分）を示す下面図である。
【図７】図４に示した支持部材の受け板を示す図であり、（ａ）は、上面図であり、（ｂ）は、下面図である。
【図８】実施形態１に係る接続部材を示す側面図である。
【図９】図８に示した接続部材において、胴筒を取り外した状態を示す側面図である。
【図１０】接続部材の他の例を示す側面図である。
【図１１】実施形態１に係る固定部材を示す上面図である。
【図１２】図１１に示した固定部材の側面図である。
【図１３】実施形態に係る固定杭を示す側面図である。
【図１４】実施形態に係る化粧枠を示す上面図である。
【図１５】実施形態に係る複数の化粧枠を連結するためのジョイントを内側（取付架台を設置する側）から見たときの正面図である。
【図１６】実施形態に係る複数の化粧枠をジョイントで連結したときの連結部分近傍の断面図である。
【図１７】実施形態２に係る取付架台及び化粧枠から構成される取付架台セットの設置状態を示す側面図である。
【図１８】実施形態２に係る取付架台の設置状態を示す上面図である。
【図１９】実施形態２に係る取付架台で用いられる筒状スペーサーを示す斜視図である。
【図２０】実施形態２に係る支持部材の台板（設置面に接する部分）を示す下面図である。
【図２１】実施形態２に係る接続部材を示す側面図である。
【図２２】実施形態２に係る取付部の高さ調節機能を有する固定部材を示す側面図である。
【図２３】実施形態２に係る取付部の高さ調節機能を有しない固定部材を示す上面図である。
【図２４】図２３に示した固定部材を示す側面図である。
【図２５】（ａ）〜（ｆ）は、支持部材及び接続部材の配置の変形例を示す説明図である。
【発明を実施するための形態】
【００２４】
以下、本発明の実施形態について図面を参照しながら説明する。
本発明は、以下の実施形態に限定されるものではなく、本発明の構成を充足する範囲内で、適宜設計変更を行うことが可能である。
【００２５】
実施形態１
まず、実施形態１に係る取付架台及び化粧枠から構成される取付架台セットの概要を図１〜３を参照しながら説明する。図１は、実施形態１に係る取付架台及び化粧枠から構成される取付架台セットの設置状態を示す側面図であり、図２は、実施形態１に係る取付架台の設置状態を示す上面図である。
【００２６】
図１及び２に示すように、取付架台は、３つの支持部材１０と、隣接する一組の支持部材１０を互いに接続する３本の接続部材２０と、各接続部材２０に取り付けられた３つの固定部材３０とから構成されている。上方から見て、３つの支持部材１０は、正三角形の各頂点に対応するように配置され、３つの接続部材２０は、正三角形の各辺に対応するように配置され、３つの固定部材３０は、正三角形の各辺の中間点あたりに配置されている。なお、支持部材１０の配置は、固定設置物の取付脚の配置に応じて適宜変更されてよく、接続部材２０は、後述する長さ調節機構によって、支持部材１０の配置に応じて長さが調整される。すなわち、接続部材２０を繋ぎ合わせて形成される三角形の形状は、正三角形に限定されず、二等辺三角形、直角三角形等の多様な形状に調節することができる。
【００２７】
支持部材１０は、固定設置物の設置面に載置される平板状の台板（ベースプレート）、台板の中央から垂直に立設するネジ棒、ネジ棒に螺着可能なナット、ネジ棒に螺着可能な受け板等から構成されるものである。受け板上に固定設置物を載置して固定することにより、固定設置物を設置面に設置することができる。なお、支持部材１０を載置する面としては、平坦かつ強固であることが望ましいので、例えば、軒下の犬走り等のコンクリート打設済みの面を利用することが望ましく、コンクリート打設済みの面が利用できない現場では、支持部材の下に予めコンクリートブロック７０を配置することが望ましい。
【００２８】
接続部材２０は、支持部材１０のネジ棒を挿通可能にした接続筒部を両端に有する棒状体であり、長さ調節機構を有するものである。長さ調節機構によって、隣接する支持部材同士の距離を調節することができる。本実施形態では、３本の接続部材２０によって、すべての支持部材１０を環状に接続して一体化していることにより、組立て後の取付架台の強度を向上させており、大きな重量の固定設置物であっても安定した設置状態を実現することができる。
【００２９】
図１に示すように、各接続部材２０は、設置面に対して傾斜している。これは、各接続部材２０の一端が、ネジ棒の下部に取り付けられ、接続部材２０の他端が、ネジ棒の上部に取り付けられているためである。このように接続部材２０を取り付けることで、両端がネジ棒の下部に取り付けられた接続部材２０と、両端がネジ棒の上部に取り付けられた接続部材２０とが混在することなく、各接続部材２０をバランスよく取り付けることができる。また、各接続部材２０と設置面との間に形成される隙間は、接続部材２０の長さ調節の際にスパナ等の工具を差し込むために利用できる。
【００３０】
固定部材３０は、接続部材２０を挿通可能なリング状の取付部と、固定杭により設置面に押さえつけて固定させる固定板部とが一体化された構造を有する。
【００３１】
また、図１に示すように、取付架台の周囲には、化粧枠５０が環状に設けられている。化粧枠５０に囲まれる領域には、コンクリートを打設してもよいし、打設しなくてもよい。コンクリートを打設する場合（湿式工法）においては、取付架台を防護し、補強することができる。湿式工法であっても、取付架台セットの組立後にコンクリートを流し込むので、コンクリートの乾燥固化を待つことなく、固定設置物の取り付け作業を行うことができる。また、固定設置物の取り付け作業後にコンクリートを流し込んでもよく、この場合も作業中にコンクリートの乾燥固化を待つ必要がない。したがって、コンクリートの乾燥固化を待つことによる作業効率の低下を防止できる。一方、コンクリートを打設しない場合（乾式工法）においては、固定設置物の設置後であっても容易に取付架台を撤去することができるので、固定設置物が不要となった場合や設置位置を変更したいときに、設置前の状態に設置場所を回復させることが容易である。
【００３２】
図３は、実施形態１に係る取付架台により電気温水器の貯水タンクユニットが設置された、化粧枠取り付け前の状態を示す側面図である。
貯水タンクユニット８０は、下端に取付脚８１を有しており、取付脚８１の中央には、支持部材１０のネジ棒を挿通可能な大きさの開口部が設けられている。図３に示すように、開口部にネジ棒を挿通させ、貯水タンクユニット８０側からナットで締め付けることにより、貯水タンクユニット８０を支持部材１０に固定することができる。
【００３３】
なお、環状に配置した支持部材１０と接続部材２０とに囲まれる空間には貯水タンクユニット８０の配管（給水管、排水管等）８２を通すことができるので、実施形態に係る取付架台によれば省スペース化を図ることができる。
【００３４】
次に、実施形態１に係る取付架台セットの主要部材である取付架台を構成する各部材について、より詳細に説明する。
（１）支持部材
図４は、実施形態１に係る支持部材を示す側面図である。図５は、図４に示した支持部材の構造を示す分解側面図である。図６は、図４に示した支持部材の台板（設置面に接する部分）を示す下面図である。図７は、図４に示した支持部材の受け板（貯水タンクユニットの取付脚が載せられる部分）を示す図であり、（ａ）は、上面図であり、（ｂ）は、下面図である。
【００３５】
支持部材の台板１１は、矩形状であり、複数の貫通孔１１ａが形成されている。台板１１の形状は、矩形状に限定されない。台板１１は、設置面に対して固定されることが望ましい。台板１１を設置面に固定する方法としてアンカー杭が用いられる場合、貫通孔１１ａは、アンカー杭を挿通させるために用いられる。台板１１を設置面に固定する方法として接着剤が用いられる場合、貫通孔１１ａは、台板１１と接着剤との接合強度を高める役割を有する。なお、台板１１の設置面への固定方法としては、アンカー杭のみを用いてもよいし、接着剤のみを用いてもよいし、アンカー杭と接着剤とを併用してもよい。
【００３６】
支持部材１０のネジ棒１２は、ネジ切りされた棒状体であるが、必ずしも全長に亘ってネジ溝が形成されていなくてもよい。ネジ棒１２には、接続部材２０の端部を構成する接続筒部が２つ嵌められた後、ナット１４が取り付けられる。ナット１４を締め付けることにより、２本の接続部材２０の端部を支持部材１０に固定することができる。
【００３７】
接続筒部を固定するためのナット１４の取付部よりも先端側のネジ棒１２には、下面にナット１５が溶接されており、かつ中央にネジ穴が形成されている円盤状の受け板１６が差し込まれ、螺着される。受け板１６の形状は、円盤状に限定されるものではなく、矩形等であってもよい。受け板１６をネジ棒１２回りに回転させることにより、受け板１６の高さを調節できるようになっている。受け板１６の外周には、把持しやすいように、切れ込みが形成されている。
【００３８】
受け板１６の平坦な上面には、貯水タンクユニット８０の取付脚８１が載置される。取付脚８１の開口部から上方に突き出たネジ棒１２にナットを取り付けて締め付けることにより、取付脚８１がナットと受け板１６とにより挟持され、固定される。
【００３９】
接続筒部とそれを固定するナット１４との間、及び、取付脚８１とそれを固定するナットとの間には、必要に応じて座金１３が配置される。図５では、接続筒部とそれを固定するナット１４との間にばね座金を配置している。座金１３の種類は特に限定されず、ばね座金以外に、平座金、波形座金等を用いることができる。
【００４０】
支持部材１０の材質としては、金属が好適である。
【００４１】
（２）接続部材
図８は、実施形態１に係る接続部材を示す側面図である。図９は、図８に示した接続部材において、胴筒を取り外した状態を示す側面図である。
本実施形態において、接続部材２０の長さ調節機構は、ターンバックル機構により構成されており、具体的には、内周面にネジ切りが施された構造の胴筒２５に対して、一対のネジ棒２１，２３を両側から螺着して一体化したものであり、ネジ棒２１，２３の胴筒２５への挿入長さを変えることにより接続部材２０の長さを変えることができる。すなわち、胴筒２５をネジ棒２１，２３に対して回転させることで、ネジ棒２１，２３は両端から胴筒２５中へと螺着されながら引き込まれ、逆に回転させることで、ネジ棒２１，２３は胴筒２５中から両端へと押し出されるので、ネジ棒２１，２３の胴筒２５から出る長さを自在に変化させることができ、接続部材２０全体の長さを適宜調節できる。
【００４２】
一対のネジ棒２１，２３はそれぞれ、胴筒２５に挿入されない側の端部に接続筒部２２，２４が接続されている。接続筒部２２，２４は、支持部材１０のネジ棒１２に挿通するための挿通孔が設けられた円筒形状を有する。この接続筒部２２，２４の中央外周部から略垂直方向へネジ棒２１，２３が延びている。本実施形態の取付架台は、支持部材１０を３つ用いて３点支持するものであり、上述したように、接続部材２０は設置面に対して傾斜させるので、接続筒部２２，２４とネジ棒１２とは垂直から僅かに傾いて接続されている。
【００４３】
胴筒２５は、両端部を除きほぼ同径の筒状であるが、胴筒２５を回転させるための工具を装着させやすいように、中央に径を小さくした部分等が設けられている。また、胴筒２５とネジ棒２１，２３との間には、必要に応じて、ナット２６、ばね座金２７等が設けられる。接続部材２０の材質としては、金属が好適である。
【００４４】
図１０は、接続部材の他の例を示す側面図である。図８に示す胴筒２５は全体が筒状にされているが、図１０に示すように、側面に開口を設けて両端部のみを筒状にした胴筒２５ａを用いてもよい。
【００４５】
（３）固定部材
図１１は、実施形態１に係る固定部材を示す上面図である。図１２は、図１１に示した固定部材の側面図である。
固定部材３０の取付部３１は、接続部材２０の胴筒２５への取り付けに用いられる部分であり、該胴筒２５を挿通する嵌合孔を有する円筒形状とされている。嵌合孔の中心軸は、接続部材２０の設置面に対する傾斜に対応して僅かに傾いている。したがって、固定部材３０は、接続部材２０の胴筒２５に対して取付部３１をスライドさせることにより移動可能であり、固定部材３０を固定するのに最適な面に固定板部３２を当接させて固定部材３０の固定を行える。また、固定部材３０を固定するのに最適な面を選ぶ際には、図２のように、固定部材３０を接続部材２０よりも外側（化粧枠側）に配置してもよいし、固定部材３０を接続部材２０よりも内側に配置してもよい。
【００４６】
固定部材３０の固定板部３２は、取付部３１の外周面から下方に延伸された板状の部分であり、２箇所で屈曲している。固定板部３２には、取付部側から１箇所目の屈曲部と２箇所目の屈曲部との間の領域である第１の固定面、及び、２箇所目の屈曲部から先の領域である第２の固定面に、それぞれアンカー挿通孔３３が１つずつ設けられている。接続部材２０の胴筒２５に対して取付部３１をスライドさせると、取付部３１の設置面からの高さが変化するが、固定板部３２に第１及び第２の固定面を設けているので、より水平に近い状態となったいずれかの固定面を用いることができる。いずれかの固定面に設けられたアンカー挿通孔３３を通して固定杭を設置面に打ち込むことで、固定部材３０は設置面に固定される。
【００４７】
固定板部３２には、アンカー挿通孔３３に対応して杭回り止めピン３４が垂直方向へ突出して形成されている。固定杭を打ち込んだ後に、杭回り止めピン３４を根元から折り曲げ、固定杭の頭部に引っかけることにより、固定杭の回転及び抜けを防止することができる。固定部材３０の材質としては、金属、樹脂が好適である。
【００４８】
（４）固定杭（アンカー杭）
図１３は、実施形態に係る固定杭を示す側面図である。
固定杭４０は、細長い平板を捻って形成した螺旋杭であり、上面が矩形状の頭部４１と、螺旋部４２とを備える。固定部材３０の固定板部３２のアンカー挿通孔３３を通して固定杭４０を設置面へと打ち込むと螺旋部４２が回転しながら設置面下に埋没していき、頭部４１により固定板部３２が設置面に対して固定される。
【００４９】
なお、固定杭４０としては、螺旋杭以外のものを用いてもよく、例えば直線状の打ち込み部を有するよく知られた構造のペグであってもよい。固定杭４０の材質としては、金属が好適である。
【００５０】
以上のように、実施形態に係る取付架台は、支持部材１０の受け板１６の高さを変えることにより、貯水タンクユニット８０の取付脚８１の高さを調整可能であり、かつ接続部材２０の長さを変えることにより、支持部材１０間の距離を調整可能であることから、貯水タンクユニット８０の設置面の平坦性や取付脚８１の配置間隔に関わらず、適用可能であり、汎用性に優れている。また、取付架台の組立ては、固定設置物の設置現場で行う必要はなく、別の場所において所定の寸法で組立てた取付架台を設置現場に持ってきて設置面に固定してもよい。取付架台の寸法調整は、組立後に、いつでもどこでも可能であるので、必要に応じて寸法を再調整してもよい。例えば、貯水タンクユニット８０の外箱に取付脚８１の位置を印しておけば、物差し等の道具を使わずとも、外箱に印された取付脚８１の位置と実際の取付架台とを照らし合わせることにより、組立て及び寸法調整が可能である。このように実施形態に係る取付架台は、作業性においても優れている。
【００５１】
続いて、実施形態に係る取付架台セットを構成する取付架台以外の部材について、詳細に説明する。
（５）化粧枠
図１４は、実施形態に係る化粧枠を示す上面図である。
化粧枠５０は、貯水タンクユニット８０を設置した状態において支持部材１０の下部、接続部材２０、固定部材３０及び固定杭４０の頭部４１が露出しないようにするための枠であって、設置面に載置される底板部５１と、底板部５１に対して垂直に立設される壁部５２とを備える。底板部５１には、ペグにより設置面に固定するためのペグ挿通孔５３が設けられた固定部が所定間隔で外側に突出して設けられている。壁部５２の上端は内側に折り曲がっている。また、化粧枠５０の最上部及び最下部の内側には、補強用のリブ５４が形成されている。化粧枠５０の材質としては、樹脂が好適である。
【００５２】
複数の化粧枠５０は、必要に応じてジョイント６０により互いに接続されてもよい。図１５は、実施形態に係る複数の化粧枠を連結するためのジョイントを内側（取付架台を設置する側）から見たときの正面図である。図１６は、実施形態に係る複数の化粧枠をジョイントで連結したときの連結部分近傍の断面図である。
【００５３】
図１５及び図１６に示すように、ジョイント６０は、化粧枠５０の壁部５２の外周面全体を覆う外側支持部６１と、化粧枠５０の壁部５２の内周面の一部に接する内側支持部６３と、外側支持部６１と内側支持部６３とをつなぐリブ６２とを有している。化粧枠５０を連結する際には、例えば、図１５の左側から、化粧枠５０の端部を外側支持部６１と内側支持部６３との間に差し込み、リブ６２と接するまで押し込んだ後、図１５の右側から同様に、別の化粧枠５０の端部を外側支持部６１と内側支持部６３との間に差し込み、リブ６２と接するまで押し込む。ジョイント６０の材質としては、樹脂、金属が好適である。
【００５４】
実施形態２
実施形態２に係る取付架台及び化粧枠から構成される取付架台セットの概要を図１７〜１９を参照しながら説明する。図１７は、実施形態２に係る取付架台及び化粧枠から構成される取付架台セットの設置状態を示す側面図であり、図１８は、実施形態２に係る取付架台の設置状態を示す上面図である。図１９は、実施形態２に係る取付架台で用いられる筒状スペーサーを示す斜視図である。
【００５５】
実施形態１では、図１に示したように接続部材２０を設置面に対して傾斜させていたが、実施形態２では、図１７に示すように、筒状スペーサー１００を支持部材１１０のネジ棒に嵌め込むことにより、接続部材１２０を水平に配置するようにした点に主な特徴がある。以下、実施形態２に係る取付架台について、実施形態１に係る取付架台との相違点を中心に説明する。
【００５６】
図１７及び１８に示すように、実施形態２に係る取付架台は、３つの支持部材１１０と、隣接する一組の支持部材１１０を互いに接続する３本の接続部材１２０と、各接続部材２０に取り付けられた３つの固定部材１３０，２３０とから構成されている。図１７に示すように、各接続部材１２０は、平坦な固定設置物の設置面に対して平行に設けられており、２つの支持部材１１０のネジ棒に対して、接続部材１２０の両端を同じ高さで取り付けている。１本のネジ棒に対して２本の接続部材１２０の端部が異なる位置に取り付けられることになるので、３本の接続部材１２０は、互いに平行に、かつ３段階の異なる高さに設けられることになる。本実施形態では、図１９に示す筒状スペーサー１００を用いて接続部材１２０の端部の高さを調整している。筒状スペーサー１００は、接続部材１２０の端部と同じ高さを有する円筒体である。図１７では、すべてのネジ棒に対してそれぞれ、接続部材１２０の端部が２つ、筒状スペーサー１００が１つずつ取り付けられているが、図１７の右端に図示されたネジ棒については、接続部材１２０の端部２つが筒状スペーサー１００よりも下方に位置することから、筒状スペーサー１００を取り付けることなく、ナットの締め付け位置を筒状スペーサー１００の高さ分だけ下に移動させることによっても、接続部材１２０を所望の高さに固定することができる。
【００５７】
また、本実施形態では、３本の接続部材１２０が３段階の異なる高さに設けられることから、３つの固定部材１３０，２３０についても設置面から接続部材１２０への取付部までの高さが３段階に異なっているが、２種類の固定部材１３０，２３０により対応している。固定部材１３０は、後述するように、２つの固定面を使い分けることができるので、接続部材１２０への取付部の高さを２段階で調節可能であり、２つ用いられている。一方、固定部材２３０は、固定面から接続部材１２０への取付部までの長さが固定部材１３０よりも長いので、固定部材１３０よりも高い位置で接続部材１２０への取り付けが可能なものであり、１つ用いられている。なお、取付部の高さ調節機能を有しない固定部材を接続部材の高さに応じて３種類使い分ける形態としてもよいし、取付部の高さを３段階に調節可能な１種類の固定部材を３つ用いる形態としてもよい。
【００５８】
次に、実施形態２に係る取付架台を構成する各部材について、実施形態１との相違点を補足説明する。
（１）支持部材
図２０は、実施形態２に係る支持部材の台板（設置面に接する部分）を示す下面図である。図２０に示すように、支持部材１１０の台板１１１は、円形状にされており、実施形態１同様に、複数の貫通孔１１１ａが形成されている。台板１１１の形状は、円形状に限定されるものではない。
【００５９】
（２）接続部材
図２１は、実施形態２に係る接続部材を示す側面図である。
本実施形態においても、接続部材１２０の長さ調節機構は、ターンバックル機構により構成されており、ネジ棒１２１，１２３の胴筒から出る長さを自在に変化させることができ、接続部材１２０全体の長さを適宜調節できる。
【００６０】
一対のネジ棒１２１，１２３はそれぞれ、胴筒に挿入されない側の端部に接続筒部１２２，１２４が接続されている。接続筒部１２２，１２４は、支持部材１１０のネジ棒に挿通するための挿通孔が設けられた円筒形状を有する。この接続筒部１２２，１２４の中央外周部から垂直方向へネジ棒１２１，１２３が延びている。本実施形態では、上述したように、接続部材１２０は水平に設けられるので、接続筒部１２２，１２４と支持部材１１０のネジ棒とを傾けて接続する必要はなく、垂直に接続している。
【００６１】
（３）固定部材
図２２は、実施形態２に係る取付部の高さ調節機能を有する固定部材を示す側面図である。図２２に示すように、取付部の高さ調節機能を有する固定部材１３０は、実施形態１の固定部材３０とほぼ同様の構成を有しているが、接続部材１２０が水平に設けられることに対応して、取付部１３１の嵌合孔の中心軸は傾けられる必要がなく、水平にされている。
【００６２】
固定部材１３０の固定板部１３２は、取付部１３１の外周面から下方に延伸された板状の部分であり、２箇所で屈曲している。固定板部１３２には、取付部側から１箇所目の屈曲部と２箇所目の屈曲部との間の領域である第１の固定面、及び、２箇所目の屈曲部から先の領域である第２の固定面に、それぞれアンカー挿通孔が１つずつ設けられている。固定部材１３０は、接続部材１２０への取付部の高さを２段階で調節可能であり、３段階の異なる高さに配置された３本の接続部材１２０のうち、最も低い高さに配置された接続部材１２０の固定には第１の固定面が用いられ、２番目に低い高さに配置された接続部材１２０の固定には第２の固定面が用いられる。
【００６３】
図２３は、実施形態２に係る取付部の高さ調整機能を有しない固定部材を示す上面図である。図２４は、図２３に示した固定部材を示す側面図である。図２３に示すように、取付部の高さ調節機能を有しない固定部材２３０は、固定面を１つしか有していない。また、図２４に示すように、固定部材２３０は、接続部材１２０が水平に設けられることに対応して、取付部２３１の嵌合孔の中心軸は傾いている必要がなく、水平にされている。
【００６４】
固定部材２３０の固定板部２３２は、取付部２３１の外周面から下方に延伸された板状の部分であり、１箇所で屈曲している。屈曲部から先の領域は、固定面として用いられ、アンカー挿通孔２３３が１つ設けられている。アンカー挿通孔２３３を通して固定杭を設置面に打ち込むことで、固定部材２３０は設置面に固定される。固定板部２３２には、アンカー挿通孔２３３に対応して杭回り止めピン２３４が垂直方向へ突出して形成されている。固定杭を打ち込んだ後に、杭回り止めピン２３４を根元から折り曲げ、固定杭の頭部に引っかけることにより、固定杭の回転及び抜けを防止することができる。固定部材２３０は、固定面から接続部材１２０への取付部までの長さが固定部材１３０よりも長いので、３段階の異なる高さに配置された３本の接続部材１２０のうち、最も高い高さに配置された接続部材１２０の固定に用いられる。
【００６５】
なお、固定部材１３０，２３０は、いずれも接続部材１２０の胴筒に対して取付部１３１，２３１をスライドさせることにより移動可能であり、固定部材１３０，２３０を固定するのに最適な面に固定板部１３２，２３２を当接させて固定部材１３０，２３０の固定を行える。また、固定部材１３０，２３０を固定するのに最適な面を選ぶ際には、固定部材１３０，２３０を接続部材１２０よりも外側（化粧枠側）に配置してもよいし、固定部材１３０，２３０を接続部材１２０よりも内側に配置してもよい。
【００６６】
実施形態２に係る固定杭（アンカー杭）及び化粧枠は、実施形態１と同様のものが用いられる。
【００６７】
実施形態２に係る取付架台もまた、実施形態１に係る取付架台と同様に、支持部材１１０の受け板の高さを変えることにより、貯水タンクユニットの取付脚の高さを調整可能であり、かつ接続部材１２０の長さを変えることにより、支持部材１１０間の距離を調整可能であることから、貯水タンクユニットの設置面の平坦性や取付脚の配置間隔に関わらず、適用可能であり、汎用性に優れている。また、実施形態１に係る取付架台と同様に、作業性においても優れている。
【００６８】
実施形態１、２に係る取付架台を比較すると、接続部材２０を斜めに配置する実施形態１では、筒状スペーサー１００等の部品を用いることなく、組み上げることができるので、部品点数を少なくすることができる点で有利である。一方、筒状スペーサー１００を用いて接続部材１２０を水平に配置する実施形態２では、接続部材１２０の接続筒部１２２，１２４と支持部材１１０のネジ棒とを垂直に接続できるために、各支持部材１１０を垂直にした状態で容易に組み上げることができる点で有利である。
【００６９】
以上、実施形態に係る取付架台セットの説明を行ったが、本発明の趣旨を逸脱しない範囲内であれば、上記実施形態を適宜変更してもよい。
例えば、上記実施形態では、固定設置物として、電気温水器の貯水タンクユニットを例示したが、固定設置物の種類は特に限定されるものではなく、自動販売機、蓄電ユニット等であってもよい。また、固定設置物は、屋外に設置される屋外設置物が好適であるが、地下等の屋内に設置されるものであってもよい。
【００７０】
上記実施形態では、長さ調節機構として、ターンバックル構造を例示したが、長さ調整機構の種類は特に限定されない。例えば、一定間隔でネジ穴が形成された小径パイプを、一定間隔で穴が形成された大径パイプ中に挿入し、外側から蝶ボルトにより２つのパイプを固定する機構であっても、蝶ボルトを差し込む穴を変えることにより接続部材の長さを変えることが可能であり、長さ調節機構として機能し得る。
【００７１】
上記実施形態では、３つの支持部材と３本の接続部材とを用いた取付架台セットのみを例示したが、取付架台に用いられる支持部材及び接続部材の数は特に限定されない。図２５（ａ）〜（ｆ）は、支持部材及び接続部材の配置の変形例を示す説明図である。図２５（ａ）は、４つの支持部材１０を長方形の各頂点に配置し、４本の接続部材２０を長方形の各辺に配置した形態を示している。図２５（ｂ）は、５つの支持部材１０を正五角形の各頂点に配置し、５本の接続部材２０を正五角形の各辺に配置した形態を示している。図２５（ｃ）は、６つの支持部材１０を正六角形の各頂点に配置し、６本の接続部材２０を正六角形の各辺に配置した形態を示している。図２５（ｄ）は、６つの支持部材１０のうち、５つの支持部材１０を正五角形の各頂点に配置し、残り１つの支持部材１０を正五角形の中心に配置し、１０本の接続部材２０のうち、５本の接続部材２０を正五角形の各辺に配置し、残り５本の接続部材２０で正五角形の中心と各頂点とを接続した形態を示している。図２５（ｅ）は、７つの支持部材１０のうち、６つの支持部材１０を正六角形の各頂点に配置し、残り１つの支持部材１０を正六角形の中心に配置し、９本の接続部材２０のうち、６本の接続部材２０を正六角形の各辺に配置し、残り３本の接続部材２０で正六角形の中心と頂点のうちの３つとを接続した形態を示している。図２５（ｆ）は、７つの支持部材１０のうち、４つの支持部材１０を長方形の各頂点に配置し、２つの支持部材１０を長方形の長辺の中間点に配置し、残り１つの支持部材１０を長方形の中心に配置し、１０本の接続部材２０のうち、６本の接続部材２０を長方形の各辺に配置（各長辺に２本の接続部材２０を配置）し、残り４本の接続部材２０で長方形の中心と頂点とを接続した形態を示している。なお、図２５（ａ）及び（ｃ）に示した形態では、両端がネジ棒の下部に取り付けられた接続部材２０と、両端がネジ棒の上部に取り付けられた接続部材２０とを交互に配置することによって、筒状スペーサー１００を用いることなく、接続部材２０を水平に配置することができる。
【００７２】
なお、支持部材の数は、３つ以上が望ましく、必要最低限の支持部材によって固定設置物を安定的に支持する点では、３つ又は４つが好適である。同様に、接続部材の数は、３本以上が望ましく、必要最低限の接続部材によって固定設置物を安定的に支持する点では、３本又は４本が好適である。
【符号の説明】
【００７３】
１０、１１０  支持部材
１１、１１１  台板
１１ａ、１１１ａ  貫通孔
１２  ネジ棒
１３  座金
１４、１５  ナット
１６  受け板
２０、１２０  接続部材
２１、２３、１２１、１２３  ネジ棒
２２、２４、１２２、１２４  接続筒部
２５、２５ａ  胴筒
２６  ナット
２７  ばね座金
３０、１３０、２３０  固定部材
３１、１３１、２３１  取付部
３２、１３２、２３２  固定板部
３３、２３３  アンカー挿通孔
３４、２３４  杭回り止めピン
４０  固定杭
４１  頭部
４２  螺旋部
５０  化粧枠
５１  底板部
５２  壁部
５３  ペグ挿通孔
５４  リブ
６０  ジョイント
６１  壁部
６２  挟持部
６３  裏面支え部
７０  コンクリートブロック
８０  貯水タンクユニット（固定設置物）
８１  取付脚
８２  配管
１００  筒状スペーサー
【図１】
0005527661.tif 000002
【図２】
0005527661.tif 000003
【図３】
0005527661.tif 000004
【図４】
0005527661.tif 000005
【図５】
0005527661.tif 000006
【図６】
0005527661.tif 000007
【図７】
0005527661.tif 000008
【図８】
0005527661.tif 000009
【図９】
0005527661.tif 000010
【図１０】
0005527661.tif 000011
【図１１】
0005527661.tif 000012
【図１２】
0005527661.tif 000013
【図１３】
0005527661.tif 000014
【図１４】
0005527661.tif 000015
【図１５】
0005527661.tif 000016
【図１６】
0005527661.tif 000017
【図１７】
0005527661.tif 000018
【図１８】
0005527661.tif 000019
【図１９】
0005527661.tif 000020
【図２０】
0005527661.tif 000021
【図２１】
0005527661.tif 000022
【図２２】
0005527661.tif 000023
【図２３】
0005527661.tif 000024
【図２４】
0005527661.tif 000025
【図２５】
0005527661.tif 000026